(57)【要約】【課題】  ストロボ不発光撮影と発光撮影の切換えを検者が操作する必要があった。【解決手段】  観察光学系に設けられた観察用撮像手段、撮影光学系に設けられた撮影用撮像手段、前記観察用撮像手段の増幅率を設定する増幅率変更手段及びシステム全体を制御する制御部を設け、前記制御部は前記増幅率と、予め設定された増幅率に基づいて撮影時に異なる制御を行う。【選択図】  図１
2006026217.tif 000002
【特許請求の範囲】
【請求項１】
被検眼を照明する照明光学系、観察する観察光学系、撮影する撮影光学系、前記照明光学系に設けられた観察用光源と撮影用光源、前記観察光学系に設けられた観察用撮像手段、前記撮影光学系に設けられた撮影用撮像手段、及びシステム全体を制御する制御部を設けた眼底撮影装置において、前記制御部は観察画像取得時の観察条件と予め前記制御部に設定されている観察条件に基づいて撮影画像取得時に異なる制御を行うことを特徴とした眼科撮影装置。
【請求項２】
前記観察条件とは前記観察用撮像手段に設定する増幅率であることを特徴とした請求項１に記載の眼科撮影装置。
【請求項３】
前記観察条件とは前記観察用光源に印加する電圧であることを特徴とした請求項１に記載の眼科撮影装置。
【請求項４】
前記照明光学系には近赤外蛍光撮影用エキサイタフィルタ、前記観察光学系と前記撮影光学系には近赤外蛍光撮影用バリアフィルタが設けられ、前記観察条件とは前記近赤外蛍光撮影用エキサイタフィルタ及び前記近赤外蛍光撮影用バリアフィルタが光路内にあるか否かであることを特徴とした請求項１に記載の眼科撮影装置。
【請求項５】
前記撮影画像取得時に異なる制御を行うこととは前記観察条件が予め制御部に設定されている観察条件よりも低い場合には、前記撮影用光源を発光させず前記観察用光源と観察用撮像手段で撮影を行い、高い場合には前記撮影用光源を発光させて撮影用撮像手段で撮影を行うことを特徴とした請求項１、２及び３に記載の眼科撮影装置。
【請求項６】
前記撮影画像取得時に異なる制御を行うこととは前記近赤外蛍光撮影用エキサイタフィルタ及び前記近赤外蛍光撮影用バリアフィルタが光路に入っている場合には前記撮影用光源を発光させず前記観察用光源と前記観察用撮像手段で撮影を行い、入っていない場合には前記撮影用光源を発光させて前記撮影用撮像手段で撮影を行うことを特徴とした請求項１及び４に記載の眼科撮影装置。
【請求項７】
前記観察用撮像手段と前記撮影用撮像手段は同一の撮像手段であることを特徴とした請求項１から６に記載の眼科撮影装置。
【請求項８】
前記増幅率入力手段によって増幅率を前記観察用撮像手段に設定する際には前記観察用光源への印加電圧が固定であることを特徴とした請求項１、２及び７に記載の眼科撮影装置。
【請求項９】
前記撮影画像取得時に異なる制御を行うこととは前記増幅率入力手段に入力された増幅率が予め前記制御部に設定された増幅率よりも低い場合には前記撮影用光源を発光させず、高い場合には前記増幅率変更手段に対して前記撮像手段に前記制御部内に設定された増幅率よりも低い増幅率に変更し、且つ発光させて撮影を行うことを特徴とした請求項２、７及び８に記載の眼科撮影装置。
【請求項１０】
被検眼を照明する照明光学系、観察する観察光学系、撮影する撮影光学系、前記照明光学系に設けられた観察用光源と撮影用光源、前記観察光学系に設けられた観察用撮像手段、前記撮影光学系に設けられた撮影用撮像手段、前記観察用撮像手段に設定する増幅率を入力する増幅率入力手段と入力された増幅率に設定する増幅率変更手段及びシステム全体を制御する制御部を設けた眼底撮影装置において、前記制御部は観察画像取得時に前記増幅率入力手段に入力された増幅率と、予め前記制御部内に設定された増幅率に基づいて撮影画像取得時に異なる制御を行うことを特徴とした眼科撮影装置。
【請求項１１】
前記撮影画像取得時に異なる制御を行うこととは前記増幅率入力手段に入力された増幅率が予め前記制御部に設定された増幅率よりも低い場合には前記撮影用光源を発光させず、高い場合には前記増幅率変更手段に対して前記撮像手段の増幅率を前記制御部内に設定された増幅率よりも低い増幅率に変更させ、且つ発光させて撮影を行うことを特徴とした請求項１０に記載の眼科撮影装置。
【請求項１２】
前記照明光学系には近赤外蛍光撮影用エキサイタフィルタ、前記観察光学系と前記撮影光学系には近赤外蛍光撮影用バリアフィルタが設けられ、前記制御部が前記異なる制御を行うのは前記近赤外蛍光撮影用エキサイタフィルタ及び前記近赤外蛍光撮影用バリアフィルタが光路内に挿入された場合であることを特徴とした請求項１０及び１１に記載の眼科撮影装置。
【請求項１３】
前記増幅率入力手段によって増幅率を前記観察用撮像手段に設定する際には前記観察用光源への印加電圧が固定であることを特徴とした請求項１０に記載の眼科撮影装置。
【請求項１４】
観察画像取得時に前記近赤外蛍光撮影用バリアフィルタが光路内に挿入されていない場合には、前記制御部は前記増幅率入力手段によって入力された増幅率に拘わりなく前記撮影用光源を発光させることを特徴とした請求項１２に記載の眼科撮影装置。
【請求項１５】
前記観察画像とは動画であり、前記撮影画像とは静止画であることを特徴とした請求項１及び１０に記載の眼科撮影装置。
【請求項１６】
被検眼を観察画像取得時に前記観察用撮像手段の出力信号を検出する信号検出手段を、前記制御部に出力信号閾値を設け、前記制御部は前記出力信号が前記出力信号閾値よりも低く且つ前記前記増幅率入力手段に入力された増幅率が予め設定された増幅率よりも低い場合には警告を行うことを特徴とした請求項１０に記載の眼科撮影装置。
【発明の詳細な説明】
【技術分野】
【０００１】
本発明は、眼科医院等において近赤外蛍光撮影を行う時に使用する眼科撮影装置に関するものである。
【背景技術】
【０００２】
眼底検査においては眼底カメラ等の眼科撮影装置を使ってカラー画像を取得して診断を行うが例えば糖尿病性網膜症で網膜上血管の眼循環や色素上皮を詳細に検査する場合には可視蛍光撮影（以下Ｆｌｕｏ撮影）、黄斑変性症により脈絡膜を検査する際には近赤外蛍光撮影（以下ＩＣＧ撮影）を行っている。
【０００３】
この中でＩＣＧ撮影は、蛍光剤の循環が大変早く、且つ蛍光輝度の変化のダイナミックレンジと時間変化が非常に大きいという特性がある。
【０００４】
従って、蛍光輝度の広いダイナミックレンジに対応して良い画像を得るために検者が撮像素子の出力信号に対して増幅率を変化させたり、ストロボ光量をせわしく調整する必要があった。
【０００５】
或いは、カラー撮影など他の撮影モードからＩＣＧ撮影モードに遷移した場合には、ＩＣＧの蛍光強度が初期においては高いことに着目して無条件にストロボを発光を禁止して撮影を行い、後期になってストロボの発光が必要であると検者が判断すると、発光禁止解除手段を操作することによってストロボ撮影が行われる方法が開示されている（特許文献１参照）。
【０００６】
また、撮像素子の走査線上の各画素の出力値を検出してその結果からストロボ光の発光光量を算出して撮影光源の発光量を制御する方法が開示されている（特許文献２参照）。
【特許文献１】特開０４−１８９３４１号公報
【特許文献２】特許第３０５６２８７号公報
【発明の開示】
【発明が解決しようとする課題】
【０００７】
しかしながら上述の従来例においては、次のような問題点がある。
【０００８】
良い撮影条件を設定するためにストロボ光量や増幅率を検者が同時に調整設定することは困難で熟練を要した。
【０００９】
ＩＣＧ撮影モードに遷移するとストロボの発光を禁止する制御を行う場合には、初期状態に於いて必ずストロボ光が不発光になってしまうことは利点があるにしても撮影後期になると撮像素子の感度の関係でストロボ光撮影が必須になるが、その際には検者がストロボ発光解除手段でストロボ発光を可能にする手間が必要であった。
【００１０】
また、撮像素子の増幅率制御が記載されておらず、撮影条件はストロボ光の有無と発光量でしか制御できないといった問題点もある。
【００１１】
更に、撮像素子の各画素の出力値を検出してストロボ発光光量を制御する方法では、検者がどの程度の観察光量で観察しているかによってストロボ光量が変わってしまうこと、注目する撮像素子上の走査線の選択によってもストロボ光量が変わること、等の問題があり必ずしも精度の高い撮影が行えるわけではなかった。
【００１２】
本発明は上記の課題を解決するためになされたものであり、観察条件に基づいて撮影制御を変更することができる眼科撮影装置を提供することを目的とする。
【課題を解決するための手段】
【００１３】
上記目的を達成するために本発明に係る眼科撮影装置は、
請求項１に於いて、制御部は観察画像取得時の観察条件と予め制御部に設定されている観察条件に基づいて撮影画像取得時に異なる制御を行う。
【００１４】
請求項２に於いて、観察条件とは観察用撮像手段に設定する増幅率であるとする。
【００１５】
請求項３に於いて、観察条件とは観察用光源に印加する電圧であるとする。
【００１６】
請求項４に於いて、照明光学系には近赤外蛍光撮影用エキサイタフィルタ、観察光学系と撮影光学系には近赤外蛍光撮影用バリアフィルタが設けられ、観察条件とは近赤外蛍光撮影用エキサイタフィルタ及び近赤外蛍光撮影用バリアフィルタが光路内にあるか否かであるとする。
【００１７】
請求項５に於いて、撮影画像取得時に異なる制御を行うこととは観察条件が予め制御部に設定されている観察条件よりも低い場合には、撮影用光源を発光させず観察用光源と観察用撮像手段で撮影を行い、高い場合には撮影用光源を発光させて撮影用撮像手段で撮影を行うこととする。
【００１８】
請求項６に於いて、撮影画像取得時に異なる制御を行うこととは近赤外蛍光撮影用エキサイタフィルタ及び近赤外蛍光撮影用バリアフィルタが光路に入っている場合には撮影用光源を発光させず観察用光源と観察用撮像手段で撮影を行い、入っていない場合には撮影用光源を発光させて撮影用撮像手段で撮影を行うこととする。
【００１９】
請求項７に於いて、観察用撮像手段と撮影用撮像手段は同一の撮像手段であることとする。
【００２０】
請求項８に於いて、増幅率入力手段によって増幅率を観察用撮像手段に設定する際には観察用光源への印加電圧が固定であることとする。
【００２１】
請求項９に於いて、撮影画像取得時に異なる制御を行うこととは増幅率入力手段に入力された増幅率が予め制御部に設定された増幅率よりも低い場合には撮影用光源を発光させず、高い場合には増幅率変更手段に対して撮像手段に前記制御部内に設定された増幅率よりも低い増幅率に変更し、且つ発光させて撮影を行う。
【００２２】
請求項１０に於いて、システム全体を制御する制御部は前記増幅率入力手段に入力された増幅率と、予め前記制御部内に設定された増幅率に基づいて撮影画像取得時に異なる制御を行うようにする。
【００２３】
請求項１１に於いて、制御部は撮影画像取得時に異なる制御を行うこととは増幅率入力手段に入力された増幅率が予め制御部に設定された増幅率よりも低い場合には撮影用光源を発光させず、高い場合には増幅率変更手段に対して撮像手段の増幅率を制御部内に設定された増幅率よりも低い増幅率に変更させ、且つ発光させて撮影を行う。
【００２４】
請求項１２に於いて、照明光学系には近赤外蛍光撮影用エキサイタフィルタ、観察光学系と撮影光学系には近赤外蛍光撮影用バリアフィルタが設けられ、制御部が前記異なる制御を行うのは近赤外蛍光撮影用エキサイタフィルタ及び前記近赤外蛍光撮影用バリアフィルタが光路内に挿入された場合に撮影時に異なる制御を行う。
【００２５】
請求項１３に於いて、増幅率入力手段によって増幅率を観察用撮像手段に設定する際には観察用光源への印加電圧が固定とする。
【００２６】
請求項１４に於いて、観察時に近赤外蛍光撮影用バリアフィルタが光路内に挿入されていない場合に、制御部は増幅率入力手段によって入力された増幅率に拘わりなく撮影用光源を発光させる。
【００２７】
請求項１５に於いて、観察画像とは動画であり、撮影画像とは静止画を取得することである。
【００２８】
請求項１６に於いて、被検眼を撮像手段で観察時に撮像手段の出力信号を検出する信号検出手段を、制御部に出力信号閾値を設け、制御部は出力信号が出力信号閾値よりも低く且つ増幅率入力手段に入力された増幅率が予め設定された増幅率よりも低い場合には警告を行う。
【発明の効果】
【００２９】
以上説明したように、本発明によれば、観察条件に基づいて撮影制御を変更することができる眼科撮影装置を提供できる。
【発明を実施するための最良の形態】
【００３０】
本発明を図示の実施例に基づいて詳細に説明する。図１はカラー撮影及び可視蛍光撮影が可能な撮像手段１８が装着された眼底カメラの構成図を示し、ハロゲンランプ等の可視光を発する観察用光源１から、鏡筒２に固定された対物レンズ３に至る光路上には、コンデンサレンズ４、可視光の閃光を発するストロボ光源のような撮影用光源６、リング状開口を有する絞り７、レンズ８、孔あきミラー９が順次に配列されて、眼底照明光学系が構成され、観察用光源１と共に眼底照明手段を構成している。眼底照明光学系には近赤外蛍光撮影時に光路に挿入されるＩＣＧエキサイタフィルタ５ａ、ＩＣＧエキサイタフィルタ５ａと同じ厚さをもつカラー撮影時に光路に挿入される光路長補正ガラス５ｂ、図示はしていないがＦｌｕｏ撮影時に挿入されるＦｌｕｏエキサイタフィルタがあり、撮影モードに応じて光路内に挿入される。
【００３１】
孔あきミラー９の孔部には撮影絞り１０が配置されており、撮影絞り１０の背後の光路上には、フォーカスのために移動可能な撮影レンズ１１、結像レンズ３０、跳ね上げミラー１２が配置され、この跳ね上げミラー１２の反射方向の光路上には、ミラー１３、フィールドレンズ１４、フォーカスレンズ１５、近赤外に感度をもつ撮像素子１６が順次に配列されている。
【００３２】
跳ね上げミラー１２が跳ね上げられた時には、カメラマウント１７を介して、可視領域に感度のあるファインダ付の撮像手段１８が取り付けられており、対物レンズ３、撮影絞り１０、フォーカスレンズ１１、結像レンズ３０から成る可視用眼底観察撮影光学系とミラー１３、フィールドレンズ１４、フォーカスレンズ１５からなる近赤外用眼底観察撮影光学系が構成されている。
【００３３】
眼底観察撮影光学系内にはＦｌｕｏ撮影時に挿入されるＦｌｕｏバリアフィルタ３１ａ、ＩＣＧ撮影用バリアフィルタ３２ａ、ＩＣＧ観察用バリアフィルタ３２ｂと同じ厚さをもつカラー撮影及びＩＣＧ撮影時に光路に挿入される光路長補正ガラス３１ｂがあり、可視蛍光撮影時に光路内に挿入されるＦｌｕｏバリアフィルタ３１ｂ、近赤外蛍光撮影時に光路内に挿入されるＩＣＧバリアフィルタ３２ａ、ＩＣＧ観察用バリアフィルタ３２ｂはＩＣＧ観察時に挿入され透過波長領域が３２ａより若干広帯域になっている。更にＩＣＧバリアフィルタ３２ａ、ＩＣＧ観察用バリアフィルタ３２ｂのどちらが光路内にあるかを検出するバリアフィルタ検知手段３４がある。
【００３４】
撮像素子１８、１６の画像出力信号は増幅率変更手段２０に入力され、増幅率変更手段２０は制御部２３からの指示に従って画像出力信号に増幅処理を行い、モニタ２１へ表示を行ったり記憶手段２２に画像を記憶させる。
【００３５】
制御部２３には増幅率変更手段２０の他にハロゲン光量や撮像素子の増幅率を設定するスイッチ２４、撮影スイッチ２５、撮影用光源制御手段２６、ストロボ光量及び撮像素子１６の増幅率を入力するつまみ式のスイッチ３３、フィルタ検知手段３４、観察用光源１がそれぞれ接続されている。
【００３６】
撮影スイッチ２５は検者が撮影を行う時に押すスイッチであり、スイッチ２４は検者が被検眼眼底Ｅｒを観察しながら眼底像が暗いと思った時にハロゲン光量を調整したり、スイッチ２４により増幅率をあげていく。
【００３７】
撮影用光源制御手段２６は制御部２３の制御に従い、撮影用光源６に対して光量を設定するだけでなく不発光制御も行う。
【００３８】
次にスイッチ２４による光量、及び増幅率の調整について説明する。スイッチ２４はつまみ式になっており、その周りには図２に示すように目盛り１から９まで表示しており、その間を連続的に調整できる。このつまみの角度は、既知の角度検知手段により検知され、その情報は、制御部２３に伝えられる。制御部２３は、図３に示した表にしたがって、観察用光源１に印加する電圧及び、増幅率変更手段２０の増幅率を制御する。すなわち、スイッチ２４が、前記目盛り３相当を指しているときには、観察用光源１に印加する電圧は、４Ｖであり、増幅率変更手段２０の増幅率は０ｄＢである。また、スイッチ２５が、前記目盛り５相当を指している場合には、観察用光源１に印加する電圧は、１６Ｖであり、増幅率変更手段２０の増幅率は、０ｄＢである。さらにスイッチ２４が、前記目盛り７相当を指している場合には、観察用光源１に印加する電圧は、１６Ｖのままであり、増幅率変更手段２０の増幅率は、１２ｄＢである。さらに、前記目盛り９相当を差している場合には、観察用光源１に印加する電圧は、１６Ｖのままであり、増幅率変更手段２０の増幅率は、２４ｄＢ（２ビットシフト）である。本実施例中で用いているビットシフトとは、撮像素子１６からの電気信号の増幅率変更手段２０内部での処理で、分解能を犠牲にして画像を擬似的に明るく見せる増幅方法である。１ビットシフトは１ビット分の分解能を低下させ、２ビットシフトは２ビット分の分解能を低下させることになるため、出力される画像は、ビットシフトしない画像に比べ画質が劣ることになる。
【００３９】
また、スイッチ２４の指す位置が、上記目盛りの間である場合には、その割合に応じた値が設定される。これらの、電圧の変更及び、増幅率の変更は、即時に行われるため、モニタ２１を見ながら、撮影者は、広いダイナミックレンジに亘って、眼底像の明るさを調節できる。
【００４０】
このように、スイッチ２４を調整し被検眼眼底を、適当な明るさで観察しながら不図示の操作手段を用いて被検眼との位置合わせ及び、フォーカスレンズ３を動かしてのピントあわせ、及び撮影範囲の確認を行う。
【００４１】
つぎにスイッチ３３による、光量、及び増幅率の調整について説明する。スイッチ３３を操作するとＦ１から、Ｆ８まで段階的に変化する。このスイッチ３３により設定された値は、制御部２３によって検知され制御部２３は、図４に示した表にしたがって、撮影用光源制御手段２６のコンデンサの充電電圧、及び、増幅率変更手段２０の増幅率を設定する。ただし、この時の信号増幅率は、後述のごとく、撮影スイッチ２５への入力を待って設定される。
【００４２】
つまり、スイッチ３３の値が、Ｆ１であることを検知した制御部２３は、撮影用光源制御手段２６の内部にあるコンデンサに印加されている電圧を５３Ｖに設定し、増幅率変更手段２０の増幅率が０ｄＢであることをメモリ２３ａに記憶する。同様にスイッチ３３の値が、Ｆ７であることを検知した制御部２３は、コンデンサに印加されている電圧を、３００Ｖに設定し増幅率変更手段２０の増幅率が、６ｄＢであることをメモリ２３ａに記憶する。
【００４３】
カラー撮影を行う場合、眼底照明系では光路長補正ガラス５ｂ、眼底観察撮影系では光路長補正ガラス３１ｂが挿入され、跳ね上げミラ１２は光路外へ移動する。可視光に対する眼底の反射率は高いのでスイッチ２４の調整範囲は１から５までに限定される。即ち、増幅率の変更は行われない。撮影スイッチ２５への入力を検知した制御部２３は撮像素子１８の光蓄積を開始し、撮影用光源制御手段２６に発光信号を送る。発光信号を受けた撮影用光源６は、前記撮影用光源制御手段２６内部を構成するコンデンサに蓄えられた電荷により発光する。撮影用光源６を発した光束は前記観察光と同様に、リング状開口を有する絞り７の開口を通過し、可視光はレンズ８を通り、穴明きミラ９周辺のミラー部により左方に反射され、対物レンズ２を通して被検眼瞳孔Ｅｐより眼底Ｅｒを照明する。このように照明された眼底の像は、再び対物レンズ２、撮影絞り１０、フォーカスレンズ１１、結像レンズ３０を通り撮像素子１８に結像し電気信号に変換される。増幅率変更手段２０はこれらの信号に対しては増幅の処理は行わず撮影された画像を記憶手段２２に記録する。それとともにモニタ２１に眼底画像を表示する。
【００４４】
次にＩＣＧ撮影を行う場合について説明する。まず、カラー撮影と同様に散瞳剤を点眼し散瞳した被検者を前記対物レンズ２に向かって着席させる。そこで、ＩＣＧエキサイタフィルタ５ａとＩＣＧ観察用バリアフィルタ３２ｂを光路内に挿入する。
【００４５】
このような構成において、観察用光源１を発した光は、前記と同様な光路を通り、ＩＣＧエキサイタフィルタ５ａにより近赤外光のみが眼底を照明する。このように照明された眼底像は、前記と同様の光路を通り、跳ね上げミラ１２により折り返されＩＣＧ観察用バリアフィルタ３２ｂを透過して撮像素子１６に結像し、電気信号に変換される。これらの電気信号は増幅率変更手段２０に入力され、所定の増幅率に増幅される。この信号は、モニタ２１に映し出される。ＩＣＧ観察用バリアフィルタ３２ｂは前述のように透過波長領域が広いので蛍光がでていなくとも眼底の様子を観察することが可能で、検者はこのモニタ２１に映った眼底像を観察し、被検眼眼底像が見やすい明るさになるようにスイッチ２４を操作する。モニターに映った眼底像を見て位置合わせ及びピントが良好であることを確認した後、被検者に蛍光剤を注射する。それとともにタイマをスタートさせＩＣＧ撮影用バリアフィルタ３２ａを光路内に挿入する。検者は、スイッチ２４を操作し、例えば９程度に設定することにより観察用光源１の発光する光量を増すとともに、増幅率変更手段２０の増幅率を大きくし、微弱な光である蛍光像が出現するのを待つ。蛍光像が出現したら、撮影スイッチ２５を操作する。
【００４６】
ここで本実施例を最も特徴付ける例としてＩＣＧ撮影を行う場合について図５のフローチャートに従って詳細に述べる。
【００４７】
検者が撮影をＩＣＧ撮影モードを選択すると眼底照明系ではＩＣＧエキサイタフィルタ５ａが、眼底観察撮影系ではＩＣＧ観察用バリアフィルタ３２ｂが自動的に挿入される（ｓｔｅｐ１）。
【００４８】
Ｓｔｅｐ２として検者はモニタ２１に表示される被検眼を観ながらアライメント、フォーカスをあわせる。バリアフィルタについてはｓｔｅｐ１でＩＣＧ観察用バリアフィルタ３２ｂが挿入されているが、ＩＣＧ撮影の初期では撮影用バリアフィルタでも十分観察が可能であることから検者が操作することによりＩＣＧ撮影用バリアフィルタ３２ａに切換えることも可能である。
【００４９】
その際に眼底Ｅｒがよく観察できるようにつまみ２４を回してハロゲン光量と撮像素子１６の出力信号の増幅率の調整を行う。つまみ２４による調整は図２、図３で説明した通りである。
【００５０】
Ｓｔｅｐ３として図４で説明したように検者がスイッチ３３を回してストロボ光量と増幅率の調整を行う。
【００５１】
Ｓｔｅｐ４で、検者が撮影を行うために撮影スイッチ２５を押す。
【００５２】
Ｓｔｅｐ５で、撮影開始信号が制御部２３に入力されると制御部２３はバリアフィルタ検知手段３４によってＩＣＧ撮影用バリアフィルタ３２ａが入っているか否かを検出し、その検出結果によってその後の処理が異なる。ＩＣＧ観察用バリアフィルタ３２ｂが挿入されていた場合にはｓｔｅｐ９に進み、制御部２３はＩＣＧ観察用バリアフィルタ３２ｂをＩＣＧ撮影用バリアフィルタ３２ａに切換える。そしてｓｔｅｐ１０にてｓｔｅｐ３で検者が設定したストロボ光量と増幅率を検出してメモリ２３ａに記憶していた値に撮影用光源制御手段２６のコンデンサの充電電圧、及び、増幅率変更手段２０の増幅率を設定する。図４で明らかなようにこの時、設定される増幅率はｓｔｅｐ６で予め制御部に設定されている増幅率よりも低い増幅率に設定される。設定が終わるとｓｔｅｐ１１で撮影用光源６が発光して撮像手段１６で被検眼眼底像Ｅｒを撮像する。
【００５３】
一方、ｓｔｅｐ５でＩＣＧ撮影用バリアフィルタ３２ａが挿入されていることが検出されるとｓｔｅｐ６で制御部２３はｓｔｅｐ２で検者が調整したハロゲン光量と撮像素子１６の出力信号の増幅率の設定値を読み出す。そしてその結果と予め制御部２３内に設定されている増幅率（ここでは仮に１８ｄＢとする）とを比較し、図３にあるようにつまみ２４の値が８以上にある場合には、ｓｔｅｐ１０に遷移してそれ以降は前述した処理と同様である。
【００５４】
Ｓｔｅｐ６でつまみ２４の値が８未満であった場合には制御部２３は蛍光撮影で蛍光像を撮影し画像を劣化させることがないと判断できるため、撮影用光源６を用いることなく観察用光源１からの照明光で撮像素子１６への光蓄積を可能にする。
【００５５】
従ってＳｔｅｐ７では撮影用光源制御手段２６のコンデンサ充電を行わない、又は制御部２３からストロボ発光信号を出さないようにする。撮像素子１６に対しては、観察時に増幅率がかかっていた場合（つまみ２４の値６〜８未満）にはその増幅率をかける。
【００５６】
Ｓｔｅｐ８にてストロボを不発光にして被検眼眼底像Ｅｒの撮影を行う。
【００５７】
一般に、ＩＣＧ撮影時において、蛍光像が出現し始めてからの数分間は、ＩＣＧ撮影用バリアフィルタ３２ａで蛍光像を観察しストロボ不発光でも画像を劣化させることなく撮影可能な状態である。その後は、蛍光光量の低下によって蛍光像の観察が困難になっていくため、ＩＣＧ撮影用バリアフィルタ３２ａを光路外に離脱し、ＩＣＧ観察用バリアフィルタ３２ｂを挿入しビットシフトを用いた観察を行い、撮影時にはバリアフィルタをＩＣＧ撮影用バリアフィルタ３２ａに交換し、ストロボ撮影を行っている。
【００５８】
Ｓｔｅｐ２で検者がつまみ２４の設定を行う、としているが仮に蛍光光量が低く蛍光像が観察できない状態であるにも拘わらず検者がつまみ２４の設定を怠り、つまみ２４の値が８未満である場合には、ストロボ発光を行わず結果として非常に暗い画像になってしまう可能性がある。そこでＳｔｅｐ７において撮影用光源制御手段２６、撮像素子１６への制御以外にも、例えば観察時の撮像素子１６の出力信号を検出する出力信号検出手段を設け、制御部２３内に出力信号の閾値を設定して、出力信号がある閾値を超えていない場合には警告を発するように構成することが考えられる。
【００５９】
本実施例では観察と撮影を一つの撮像素子１６で行った例をあげたが図６にあるように観察と撮影にそれぞれ撮像素子を設けることも可能である。
【００６０】
図１との差異のみを述べる。ＩＣＧ撮影に関しては対物レンズ３、撮影絞り１０から跳ね上げミラー１２、ミラー１３、撮像素子１６までを観察光学系となり、ミラー１３からミラー４０、撮影用撮像素子４３までが撮影光学系となる。ミラー１３は可動式であり観察時は光路内にあるが撮影時は光路より退避する。
【００６１】
４１、４２はそれぞれフィールドレンズ、フォーカスレンズである。
【００６２】
図４のスイッチ３３（図５におけるｓｔｅｐ３）で設定される増幅率は撮影用撮像素子４３に対してとなる。
【００６３】
また、図５のフローチャートのｓｔｅｐ１０は撮影用素子４３に設定され、ｓｔｅｐ１１は撮影用撮像素子４３で撮影がなされるところが異なる他は前述の説明と同様である。
【００６４】
また、撮影の際にストロボ光源６を発光させるか否かについて本実施例では判断する観察条件として観察用撮像素子１６に設定される増幅率で判断していたが、例えば前記制御部２３に予め観察用光源１に印加する電圧を設定を例えば図３でつまみ２４で「３」としておき、観察時の観察用光源１の光量（即ち観察用光源１への印加電圧）がそれよりも高い場合には、被検眼からの蛍光光量は少ないので撮影用撮像素子４３で撮影をする際にはストロボ光源６を発光して撮影を行い、逆に低い場合には撮影用撮像素子４３でストロボ光源６を不発光にして撮影することも考えられる。
【００６５】
図５のフローチャートでｓｔｅｐ６の判断基準が「予め設定された印加電圧以上か？」となる。
【００６６】
更にバリアフィルタ検知手段３４によってＩＣＧ撮影用バリアフィルタ３２ａが光路内にない場合には被検眼からの蛍光光量は少ないので撮影用撮像素子４３で撮影をする際にはストロボ光源６を発光して撮影を行い、逆にＩＣＧ撮影用バリアフィルタ３２ａが光路内に挿入されている場合には眼底からの蛍光光量は多いので撮影用撮像素子４３でストロボ光源６を不発光にして撮影することも考えられる。
【００６７】
この時、図５のフローチャートはｓｔｅｐ６がなくなるかたちになる。
【００６８】
以上説明したように本発明に係る眼科撮影装置は、
請求項１に於いて、制御部は観察画像取得時の観察条件と予め制御部に設定されている観察条件に基づいて撮影画像取得時に異なる制御を行うことにより、撮影用光源を発光させなくとも十分に診断出来る場合とそうでない場合とで撮影用光源の発光、不発光と異なる制御を行うことができるようになる。
【００６９】
請求項２に於いて、観察条件とは観察用撮像手段に設定する増幅率であるとすることにより増幅率の高い時にはノイズ成分を減らして撮影を行うことが出来る。
【００７０】
請求項３に於いて、観察条件とは観察用光源に印加する電圧であることにより、印加電圧が高い時には撮影時に撮影用光源を用いて撮影し、低い時には観察用光源だけで撮影することが可能になるので撮影用光源の寿命を延ばすことができる。
【００７１】
請求項４に於いて、照明光学系には近赤外蛍光撮影用エキサイタフィルタ、観察光学系と撮影光学系には近赤外蛍光撮影用バリアフィルタが設けられ、観察条件とは近赤外蛍光撮影用エキサイタフィルタ及び近赤外蛍光撮影用バリアフィルタが光路内にあるか否かであることにより、近赤外蛍光撮影用バリアフィルタが光路内にある時には被検眼からの反射光量が十分であるので観察用光源だけで撮影することが可能で、光路内にない場合には撮影用光源を用いて撮影する、というように光源を切換えることが出来る。
【００７２】
請求項５に於いて、撮影画像取得時に異なる制御を行うこととは観察条件が予め制御部に設定されている観察条件よりも低い場合には、撮影用光源を発光させず観察用光源と観察用撮像手段で撮影を行い、高い場合には撮影用光源を発光させて撮影用撮像手段で撮影を行うことにより、撮影用光源の寿命を延ばすことができるし、被検者に不快感も与えずに済む。
【００７３】
請求項６に於いて、撮影画像取得時に異なる制御を行うこととは近赤外蛍光撮影用エキサイタフィルタ及び近赤外蛍光撮影用バリアフィルタが光路に入っている場合には撮影用光源を発光させず観察用光源と観察用撮像手段で撮影を行い、入っていない場合には撮影用光源を発光させて撮影用撮像手段で撮影を行うこととすることによって、近赤外蛍光撮影用バリアフィルタが光路内にある時には被検眼からの反射光量が十分であるので観察用光源だけで撮影することが可能で、光路内にない場合には撮影用光源を用いて撮影する、というように光源を切換えることが出来る。
【００７４】
請求項７に於いて、観察用撮像手段と撮影用撮像手段は同一の撮像手段であることによって、装置を小型化、低コスト化が可能になる。
【００７５】
請求項８に於いて、増幅率入力手段によって増幅率を観察用撮像手段に設定する際には観察用光源への印加電圧が固定であることにより、入力される増幅率が観察光量に依存しなくなるので、入力された増幅率と予め設定された増幅率に基づく制御をより精度よく行うことができる。
【００７６】
請求項９に於いて、撮影画像取得時に異なる制御を行うこととは増幅率入力手段に入力された増幅率が予め制御部に設定された増幅率よりも低い場合には撮影用光源を発光させず、高い場合には増幅率変更手段に対して撮像手段に前記制御部内に設定された増幅率よりも低い増幅率に変更し、且つ発光させて撮影を行うことにより、蛍光輝度が高い場合には撮影用光源を発光させずに済むので、撮影用光源の寿命を伸ばすことが可能であるし、被検者に対して不連続光（ストロボ光）を照射させずに済むので不快感を与えずに済み、そしてノイズ成分の低い、より画質のよい画像を得ることが出来る。
【００７７】
請求項１０に於いて、システム全体を制御する制御部は前記増幅率入力手段に入力された増幅率と、予め前記制御部内に設定された増幅率に基づいて撮影画像取得時に異なる制御を行うようにすることにより、撮影用光源を発光させなくとも十分に診断出来る場合とそうでない場合とで撮影用光源の発光、不発光と異なる制御を行うことができるようになることに加え、増幅率によって撮影用光源の発光をするか否かを決定するので検者がわざわざ不発光解除の操作を行う必要がないし、撮像素子で撮像された被検眼眼底の特定の部位の出力信号で判断しないので撮影の失敗がなくなる。
【００７８】
また、ストロボ発光、不発光の切換えの操作をしなくてよいので操作性が向上する。
【００７９】
請求項１１に於いて、制御部は撮影画像取得時に異なる制御を行うこととは増幅率入力手段に入力された増幅率が予め制御部に設定された増幅率よりも低い場合には撮影用光源を発光させず、高い場合には増幅率変更手段に対して撮像手段の増幅率を制御部内に設定された増幅率よりも低い増幅率に変更させ、且つ発光させて撮影を行うことにより、蛍光輝度が高い場合には撮影用光源を発光させずに済むので、撮影用光源の寿命を伸ばすことが可能であるし、被検者に対して不連続光（ストロボ光）を照射させずに済むので不快感を与えずに済む。また、撮影用光源を発光する際には増幅率を下げるので、より画質の高い画像を取得することが出来る。
【００８０】
請求項１２に於いて、照明光学系には近赤外蛍光撮影用エキサイタフィルタ、観察光学系と撮影光学系には近赤外蛍光撮影用バリアフィルタが設けられ、制御部が前記異なる制御を行うのは近赤外蛍光撮影用エキサイタフィルタ及び前記近赤外蛍光撮影用バリアフィルタが光路内に挿入された場合に撮影時に異なる制御を行うことにより、撮影用光源に充電する必要がないので近赤外蛍光撮影の初期において連続撮影を行う際に撮影間隔を短くすることが可能になるので、眼循環の時間変化を詳細に診断することができる。
【００８１】
請求項１３に於いて、増幅率入力手段によって増幅率を観察用撮像手段に設定する際には観察用光源への印加電圧を固定とすることにより、入力される増幅率が観察光量に依存しなくなるので、入力された増幅率と予め設定された増幅率に基づく制御をより精度よく行うことができる。
【００８２】
請求項１４に於いて、観察時に近赤外蛍光撮影用バリアフィルタが光路内に挿入されていない時は既に蛍光輝度が低い場合であるので、制御部は増幅率入力手段によって入力された増幅率に拘わりなく撮影用光源を発光させることにより高画質の画像を得ることが出来る。
【００８３】
請求項１５に於いて、観察画像とは動画であり、撮影画像とは静止画を取得することであることにより、観察時には観察が容易になり、観察画像よりもノイズ成分の低い、高画質の画像を取得できるようになる。
【００８４】
請求項１６に於いて、被検眼を撮像素子で観察時に撮像素子の出力信号を検出する信号検出手段を、制御部に出力信号閾値を設け、制御部は出力信号が出力信号閾値よりも低く且つ増幅率入力手段に入力された増幅率が予め設定された増幅率よりも低い場合には警告を行う制御を行うことにより、蛍光光量が低く蛍光像が観察できない状態であるにも拘わらず検者が増幅率を低く設定してしまった場合に、ストロボ発光を行わず結果として非常に暗い画像になって撮影に失敗することがなくなる。
【図面の簡単な説明】
【００８５】
【図１】実施の形態の眼科撮影装置の配置を表す図である。
【図２】スイッチ２４の詳細図である。
【図３】印加電圧とカメラの増幅率を表す図である。
【図４】充電電圧とカメラの増幅率を表す図である。
【図５】本発明におけるフローチャートである。
【図６】観察用撮像素子と撮影用撮像素子をそれぞれにもつ場合の実施例の図である。
【符号の説明】
【００８６】
１  観察用光源
２  鏡筒
３  対物レンズ
４  コンデンサレンズ
６  撮影用光源
７  絞り
８  レンズ
９  孔あきミラー
５ａ  ＩＣＧエキサイタフィルタ
５ｂ  光路長補正ガラス
１０  撮影絞り
１１  撮影レンズ
１２  跳ね上げミラー
１３  ミラー
１４  フィールドレンズ
１５  フォーカスレンズ
１６  撮像素子
３０  結像レンズ
１７  カメラマウント
１８  ファインダ付の撮像手段
３１ｂ  光路長補正ガラス
３１ａ  Ｆｌｕｏバリアフィルタ
３２ａ  ＩＣＧ撮影用バリアフィルタ
３２ｂ  ＩＣＧ観察用バリアフィルタ
３３  つまみ式のスイッチ
３４  バリアフィルタ検知手段
２０  増幅率変更手段
２１  モニタ
２２  記憶手段
２３  制御部
２４  スイッチ
２５  撮影スイッチ
２６  撮影用光源制御手段
２３ａ  メモリ
４０  ミラー
４１  フィールドレンズ
４２  フォーカスレンズ
４３  撮影用撮像素子
【図１】
2006026217.tif 000003
【図２】
2006026217.tif 000004
【図３】
2006026217.tif 000005
【図４】
2006026217.tif 000006
【図５】
2006026217.tif 000007
【図６】
2006026217.tif 000008